(57)【特許請求の範囲】
【請求項１】
略方形状の開口部を備えた薄板状の飾枠と、該飾枠の内周裏面側に設けられ略方形状の開口部を備えた薄板状の内枠と、上記飾枠の外周裏面側に設けられ略方形状の開口部を備えた薄板状の外枠とを重ね合わせてなる飾り枠であって、
上記飾枠は内周縁が表面側及び内周側に面する傾斜面状の内飾縁と、外周縁が表面側及び外周側に面する傾斜面状の外飾縁とを備え、
上記内枠は内周縁が表面側及び内周側に面する傾斜面状の内飾縁と、外周縁が裏面側及び外周側に面する傾斜面状の外裏縁を備えると共に、該外裏縁の表面側に形成される接合代を上記飾枠の内飾縁の裏面側に固着してなり、
上記外枠は内周縁が裏面側及び内周側に面する傾斜面状の内裏縁を備えると共に、該内裏縁の表面側に形成される接合代を上記飾枠の外飾縁の裏面側に固着してなることを特徴とする飾り枠。
【請求項２】
略方形状の開口部を備えた薄板状の飾枠と、該飾枠の外周側の裏面に設けられ略方形状の開口部を備えた薄板状の外枠とを重ね合わせてなる飾り枠であって、
上記飾枠は内周縁が表面側及び内周側に面する傾斜面状の内飾縁と、外周縁が表面側及び外周側に面する傾斜面状の外飾縁とを備え、
上記外枠は内周縁が裏面側及び内周側に面する傾斜面状の内裏縁を備えると共に、該内裏縁の表面側に形成される接合代を上記飾枠の外飾縁の裏面側に固着してなることを特徴とする飾り枠。
【請求項３】
上記外飾縁と内飾縁、外裏縁及び内裏縁はいずれも表面または裏面に対して４５度の角度に傾斜させてなることを特徴とする請求項１記載の飾り枠。
【請求項４】
上記飾枠の内飾縁の内周側端部と上記内枠の外裏縁の内周側端部と、上記飾枠の内飾縁の外周側端部と上記内枠の外裏縁の外周側端部と、はそれぞれ内外方向略同位置に配置され、
上記飾枠の外飾縁の内周側端部と上記外枠の内裏縁の内周側端部と、上記飾枠の外飾縁の外周側端部と上記外枠の内裏縁の外周側端部と、はそれぞれ内外方向略同位置に配置されることを特徴とする請求項３記載の飾り枠。
【発明の詳細な説明】
【技術分野】
【０００１】
本発明は写真や絵画などの周縁部を飾る飾り枠に関し、特に一枚の薄板から形成可能な飾り枠に関する。
【背景技術】
【０００２】
写真や絵画などの周縁部を飾る飾り枠は、薄板状の基板の中央部に開口を設けて、写真や絵画などの全周を囲む枠状に形成される。また、その見栄えをよくするためにそれぞれ開口の大きさの異なる複数の枠を組み合わせて段差を設けたものが知られている。このように段差を設けた飾り枠としては、例えば特許文献１に挙げるようなものがある。
【特許文献１】特開平１１−２６２４３５号公報
【発明の開示】
【発明が解決しようとする課題】
【０００３】
しかし、複数の枠を組み合わせて段差を設けるためには、各枠を固定するためにそれぞれ固定代が必要となるため、一枚の薄板から各枠を形成することができず、材料を無駄にしていた。また、各枠はそれぞれ重なり合うように形成されるため、販売時など組立前において各枠を一つにまとめて梱包した際に、厚みが大きく扱いにくいという問題があった。
【０００４】
本発明は、上記課題を鑑みてなされたものであり、一枚の薄板から複数の枠を取出し組み立てることのできる飾り枠を提供することを目的とする。
【課題を解決するための手段】
【０００５】
上記課題を解決するため、本発明に係る飾り枠は、略方形状の開口部を備えた薄板状の飾枠と、該飾枠の内周裏面側に設けられ略方形状の開口部を備えた薄板状の内枠と、上記飾枠の外周裏面側に設けられ略方形状の開口部を備えた薄板状の外枠とを重ね合わせてなる飾り枠であって、
上記飾枠は内周縁が表面側及び内周側に面する傾斜面状の内飾縁と、外周縁が表面側及び外周側に面する傾斜面状の外飾縁とを備え、
上記内枠は内周縁が表面側及び内周側に面する傾斜面状の内飾縁と、外周縁が裏面側及び外周側に面する傾斜面状の外裏縁を備えると共に、該外裏縁の表面側に形成される接合代を上記飾枠の内飾縁の裏面側に固着してなり、
上記外枠は内周縁が裏面側及び内周側に面する傾斜面状の内裏縁を備えると共に、該内裏縁の表面側に形成される接合代を上記飾枠の外飾縁の裏面側に固着してなることを特徴として構成されている。
【０００６】
また、本発明に係る飾り枠は、略方形状の開口部を備えた薄板状の飾枠と、該飾枠の外周側の裏面に設けられ略方形状の開口部を備えた薄板状の外枠とを重ね合わせてなる飾り枠であって、
上記飾枠は内周縁が表面側及び内周側に面する傾斜面状の内飾縁と、外周縁が表面側及び外周側に面する傾斜面状の外飾縁とを備え、
上記外枠は内周縁が裏面側及び内周側に面する傾斜面状の内裏縁を備えると共に、該内裏縁の表面側に形成される接合代を上記飾枠の外飾縁の裏面側に固着してなることを特徴として構成されている。
【０００７】
さらに、本発明に係る飾り枠は、上記外飾縁と内飾縁、外裏縁及び内裏縁はいずれも表面または裏面に対して４５度の角度に傾斜させてなることを特徴として構成されている。
【０００８】
さらにまた、本発明に係る飾り枠は、上記飾枠の内飾縁の内周側端部と上記内枠の外裏縁の内周側端部と、上記飾枠の内飾縁の外周側端部と上記内枠の外裏縁の外周側端部と、はそれぞれ内外方向略同位置に配置され、
上記飾枠の外周縁の内周側端部と上記外枠の内裏縁の内周側端部と、上記飾枠の外飾縁の外周側端部と上記外枠の内裏縁の外周側端部と、はそれぞれ内外方向略同位置に配置されることを特徴として構成されている。
【発明の効果】
【０００９】
本発明に係る飾り枠によれば、飾枠は内周縁を表面側に向かって傾斜させてなる内飾縁と、外周縁を表面側に向かって傾斜させてなる外飾縁とを備え、内枠は内周縁を表面側に向かって傾斜させてなる内飾縁と、外周縁を裏面側に向かって傾斜させてなる外裏縁を備えると共に、外裏縁の表面側に形成される接合代を飾枠の内飾縁の裏面側に固着してなり、外枠は内周縁を裏面側に向かって傾斜させてなる内裏縁を備えると共に、内裏縁の表面側に形成される接合代を飾枠の外飾縁の裏面側に固着してなることにより、一枚の薄板を切断して内枠と飾枠と外枠を形成してこれらを重ね合わせた飾り枠を形成することができ、材料を無駄にしないようにできると共に、組立前は一枚の薄板の状態とすることができるので、可搬性もよくすることができる。
【００１０】
また、本発明に係る飾り枠によれば、飾縁及び裏縁はいずれも表面または裏面に対して４５度の角度に傾斜させてなることにより、接合代の幅をいずれも各枠の厚みと同じとすることができ、各枠を確実に固着することができる。
【００１１】
さらに、本発明に係る飾り枠によれば、飾枠の内飾縁の内周側端部と内枠の外裏縁の内周側端部と、飾枠の内飾縁の外周側端部と内枠の外裏縁の外周側端部と、はそれぞれ内外方向略同位置に配置され、飾枠の外周縁の内周側端部と外枠の内裏縁の内周側端部と、飾枠の外飾縁の外周側端部と外枠の内裏縁の外周側端部と、はそれぞれ内外方向略同位置に配置されることにより、各枠の縁部を構成する斜面を互い違いに配置することができ、確実に固着できると共に、見栄えのよい飾り枠とすることができる。
【発明を実施するための最良の形態】
【００１２】
本発明の飾り枠の実施形態について、図面に沿って詳細に説明する。図１には本実施形態における飾り枠の正面図を、図２には図１のＡ−Ａ断面図を示している。これら各図に示すように、本実施形態における飾り枠は、方形状の開口部１１の周囲に内側から順にそれぞれ薄板状の内枠３０と飾枠２０と外枠１０とが互いに縁部で重なり合うように配置されて構成されている。内枠３０は、外周縁部を飾枠２０の内周縁部の裏面側に重ね合わせてあり、外枠１０は、内周縁部を飾枠２０の外周縁部の裏面側に重ね合わせてある。
【００１３】
飾り枠を構成する各枠について説明する。最も内周側に設けられる内枠３０は、中央に方形状の開口部３１を有し、内周縁は表面側に向かって傾斜する斜面からなる内飾縁３２として形成されている。内飾縁３２は、内枠３０の表面に対して４５度の角度をなす斜面であって、内枠３０の内周縁の全周に渡って形成されている。また、内枠３０の外周縁は裏面側に向かって傾斜する斜面からなる外裏縁３３として形成されている。外裏縁３３は、内枠３０の裏面に対して４５度の角度をなす斜面であって、内枠３０の外周縁の全周に渡って形成されている。このように内枠３０には内飾縁３２と外裏縁３３が形成されていることにより、図２に示すように内枠３０の断面は略平行四辺形状となっている。
【００１４】
内枠３０の外側に設けられる飾枠２０は、中央に方形状の開口部２１を有し、内周縁は表面側に向かって傾斜する斜面からなる内飾縁２２として形成されている。内飾縁２２は、飾枠２０の表面に対して４５度の角度をなす斜面であって、飾枠２０の内周縁の全周に渡って形成されている。このように内周縁には表面側に傾斜する内飾縁２２が形成されているので、飾枠２０は内飾縁２２の裏面側に相当する部分が表面よりも内側まで平面状となっており、この部分が内枠３０の外裏縁３３の裏面側に相当する平面状の接合代３４に当接し接着されることによって、内枠３０が飾枠２０に対して固着されている。
【００１５】
また、飾枠２０の外周縁は表面側に向かって傾斜する斜面からなる外飾縁２３として形成されている。外飾縁２３は、飾枠２０の表面に対して４５度の角度をなす斜面であって、飾枠２０の外周縁の全周に渡って形成されている。このように外周縁には表面側に傾斜する外飾縁２３が形成されているので、飾枠２０は外飾縁２３の裏面側に相当する部分が表面よりも外側まで平面状となっており、この部分が外枠１０を固着するための接合代２４として形成されている。
【００１６】
飾枠２０の外側に設けられる外枠１０は、中央に方形状の開口部１１を有し、内周縁は裏面側に向かって傾斜する斜面からなる内裏縁１２として形成されている。内裏縁１２は、外枠１０の裏面に対して４５度の角度をなす斜面であって、外枠１０の内周縁の全周に渡って形成されている。このため外枠１０において内裏縁１２の裏面側に相当する部分は表面よりも内側まで平面状となっており、この部分が飾枠２０の接合代２４に当接し接着されることによって、外枠１０が飾枠２０に対して固着されている。
【００１７】
次に、飾り枠の組立について説明する。図３には飾り枠の組立前状態の正面図を、図４には図３のＡ−Ａ断面図を示している。飾り枠の組立前においては、この状態で運搬等される。これらの図に示すように、飾り枠の各枠は一枚の薄板からなる基板１を切断することによって形成される。基板１は方形状に形成された厚紙またはプラスチック板からなり、中央部には内枠３０の開口部３１となる開口２が形成される。この開口２の各辺は、基板１の厚さ方向において内側に向かう下り傾斜状の斜面を形成するよう４５度の角度で斜め方向に切断される。これによって内枠３０の内飾縁３２が形成される。
【００１８】
基板１は開口２より外側において、内枠３０の外周及び飾枠２０の内周に相当するように方形状に切断されて、第１切断部３が形成される。ここでも、開口２の形成と同様に基板１が４５度の角度で斜め方向に切断され、その傾斜方向は開口２と同じ向きとされる。これによって、内枠３０の外裏縁３３と接合代３４、及び飾枠２０の内飾縁２２が形成される。
【００１９】
さらに基板１は、第１切断部３よりも外側において飾枠２０の外周及び外枠１０の内周に相当するように切断されて、第２切断部４が形成される。ここでも、開口２や第１切断部３の形成と同様に基板１が４５度の角度で斜め方向に切断され、その傾斜方向は開口２及び第１切断部３とは反対方向、すなわち基板１の厚さ方向において外側に向かう下り傾斜状の斜面を形成するように斜め方向に切断される。これによって、飾枠２０の外飾縁２３と接合代２４、及び外枠１０の内裏縁１２が形成される。
【００２０】
図５には、飾り枠の分解断面図を示している。内枠３０は、第１切断部３が上述のように切断されていることにより、飾枠２０の表面側に向かって取り外すことができ、取り外した内枠３０は、その接合代３４を飾枠２０に対し裏面側から当接させ、接着により固着する。また外枠１０は、第２切断部４が上述のように切断されていることにより、飾枠２０の表面側に向かって取り外すことができ、取り外した外枠１０は、飾枠２０の接合代２４に対し裏面側から当接させ、接着により固着する。
【００２１】
これにより、飾枠２０の内飾縁２１の内周側端部と内枠３０の外裏縁３３の内周側端部は、内外方向略同位置に配置され、飾枠２０の内飾縁２２の外周側端部と内枠３０の外裏縁３３の外周側端部も、内外方向略同位置に配置されることになる。また、飾枠２０の外飾縁２３の内周側端部と外枠１０の内裏縁１２の内周側端部は、内外方向略同位置に配置され、飾枠２０の外飾縁２３の外周側端部と外枠１０の内裏縁１２の外周側端部も、内外方向略同位置に配置されることになる。
【００２２】
このように本実施形態における飾り枠は、一枚の基板１を多重に斜め切断することによって内枠３０と飾枠２０及び外枠１０を形成しているので、材料に無駄が出ないようにすることができると共に、組立前においては各枠を一枚の板状にして収容しておくことができ、可搬性にも優れている。
【００２３】
図６は、本実施形態における飾り枠の使用状態を示した断面図である。この図に示すように、内枠３０と飾枠２０及び外枠１０から構成される飾り枠の裏面側にはその略全面を覆うように上方開放状の裏板４０が設けられている。さらに裏板４０にはスタンド５０が取付けられており、飾り枠及び裏板４０を後方から支えるようにしている。これによって飾り枠及び裏板４０は、傾斜状に立脚した状態となる。裏板４０は上方開放状であるので、写真６０を上方から挿入し、表面を開口部１１から露出させるようにして飾り枠に納めることができる。
【００２４】
以上、本発明の実施形態について説明したが、本発明の適用は本実施形態に限られるものではなく、その技術的思想の範囲内において様々に適用されうるものである。本実施形態では、飾り枠を内枠３０と飾枠２０及び外枠１０の３つの枠から構成したが、２つの枠から構成することもできる。すなわち、図３及び図４に示す第１切断部３を開口２として、飾枠２０及び外枠１０を図１及び図２と同様に重ね合わせることにより、２つの枠からなる飾り枠を構成することができる。
【００２５】
また、飾り枠の使用形態は、図６に示したようなスタンド５０を設けるものには限られず、写真を納める一般的な台紙としても用いることができる。さらには、木製額縁の中に納める中額縁としても用いることができる。
【図面の簡単な説明】
【００２６】
【図１】本実施形態における飾り枠の正面図である。
【図２】図１のＡ−Ａ断面図である。
【図３】組立前の飾り枠の正面図である。
【図４】図３のＡ−Ａ断面図である。
【図５】飾り枠の分解断面図である。
【図６】本実施形態における飾り枠の使用状態を示した断面図である。
【符号の説明】
【００２７】
１    基板
２    開口
３    第１切断部
４    第２切断部
１０    外枠
１１    開口部
１２    内裏縁
２０    飾枠
２１    開口部
２２    内飾縁
２３    外飾縁
２４    接合代
３０    内枠
３１    開口部
３２    内飾縁
３３    外裏縁
３４    接合代
【図１】
0004721424.tif 000002
【図２】
0004721424.tif 000003
【図３】
0004721424.tif 000004
【図４】
0004721424.tif 000005
【図５】
0004721424.tif 000006
【図６】
0004721424.tif 000007